(57)【要約】      （修正有）【課題】利用可能な全メッセージに関係するすべての情報を読み込むことを必要とせずに、一つのサービスアクセスポイントを介して送信された多数のメッセージのための固有特性の評価を可能とする。【解決手段】メッセージ解析器１０は、メッセージを保存するための記憶装置１３、逐次のメッセージ系列を読むための選択装置１４、ならびに少なくとも一つの第一の領域１６および一つの第二の領域１７の表示のためのディスプレイ装置を有する。第一の領域１６では、選択装置１４によって記憶装置１３から読み込まれた一連のメッセージがリストとして表示できる。選択装置１４は少なくとも一つのサービスアクセスポイントについて、該サービスアクセスポイントによって送信された諸メッセージの固有特性を決定し、固有特性についての曲線がディスプレイ装置１５上で第二の領域１７に表示されうる。【選択図】図２
2011041285.tif 000002
【特許請求の範囲】
【請求項１】
携帯電話システムの加入者のエンドシステムのOSI参照モデルの諸層（1,2,3,4,5）から一つまたは複数のサービスアクセスポイント（8.1,8.2,8.3,9.1,9.2,7.1,7.2,7.3）を介して伝送されるメッセージを解析するためのメッセージ解析器（10）であって、
メッセージを保存するための記憶装置（13）と、
前記記憶装置からメッセージを読み込む選択器（14）と、
少なくとも一つの第一の領域（16）および一つの第二の領域（17）を表示するためのディスプレイ装置（15）、
とを有しており、選択器（14）によって記憶装置（13）から読み込まれるメッセージの系列が第一の領域（16）にリストとして表示されることができ、
接続点(11)を介して、前記サービスアクセスポイント（8.1,8.2,8.3,9.1,9.2,7.1,7.2,7.3）のうちのどのサービスアクセスポイントを介して伝送されるメッセージも前記記憶装置内でファイルに時間順に保存されることができ、
前記選択器（14）が少なくとも一つのサービスアクセスポイント（7.1,7.2,7.3,8.1,8.2,8.3,9.1,9.2）について、メッセージ解析器内で個々のOSI参照モデルの層の間に配置されているサービスアクセスポイントを介して伝送されるメッセージの固有特性を決定し、この固有特性の推移（26）がディスプレイ装置（15）上で第二の領域（17）に表示されることができ、
前記選択器によって読まれるメッセージの系列が、第二の領域において前記固有特性の推移のある特定の点のユーザーによる選択に基づいて選択されることを特徴とするメッセージ解析器。
【請求項２】
前記選択器（14）がOSI参照モデルのある層の複数のサービスアクセスポイント（7.1,7.2,7.3,8.1,8.2,8.3,9.1,9.2）を介して伝送されるメッセージの固有特性を決定し、この固有特性の推移（26）がディスプレイ装置（15）上で該ディスプレイ装置（15）の第二の領域（17）に表示されることができる、
ことを特徴とする請求項１記載のメッセージ解析器。
【請求項３】
第二の領域（17）に表示される推移（26）においてマーク（33.1,33.2,33.3,33.4）によって少なくとも一つの特定の点をマークすることができ、該マーク（33.1,33.2,33.3,33.4）を選択すると前記特定の点に対応するメッセージの系列が記憶装置（13）から読み込まれる、
ことを特徴とする請求項２記載のメッセージ解析器。
【請求項４】
記憶装置（13）へのメッセージの保存の間に保存される追加的な情報項目に基づいて、マーク（34.1,34.2）が前記選択器（14）によって自動的に生成されることができる、
ことを特徴とする請求項１または３記載のメッセージ解析器。
【請求項５】
前記固有特性の推移（26）が第二の領域（17）においてｘ軸（28）が時間軸である座標系で表示されることができる、
ことを特徴とする請求項１ないし４のうちいずれか一項記載のメッセージ解析器。
【請求項６】
第二の領域に表示される推移（26）の、前記第一の領域（16）で現在表示されているメッセージの系列にそれぞれ対応する領域がハイライトされる、
ことを特徴とする請求項５記載のメッセージ解析器。
【請求項７】
前記固有特性の推移が第二の領域（17）においてｘ軸（28）が同数のメッセージをもつ区間に分割されている座標系で表示されることができる、
ことを特徴とする請求項１ないし４のうちいずれか一項記載のメッセージ解析器。
【請求項８】
前記固有特性が、時間区間あたりの伝送メッセージ数、および／またはOSI参照モデルのある層（1,2,3,4,5）のデータ負荷、および／または繰り返して伝送されたメッセージ数である、
ことを特徴とする請求項１ないし７のうちいずれか一項記載のメッセージ解析器。
【請求項９】
携帯電話システムの加入者のエンドシステムのOSI参照モデルの諸層（1,2,3,4,5）から一つまたは複数のサービスアクセスポイント（7.1,7.2,7.3,8.1,8.2,8.3,9.1,9.2）を介して伝送され、記憶装置（13）に保存されるメッセージを解析するための方法であって、コンピュータまたはデジタル信号プロセッサを使って：
・ある特定の固有特性をもつメッセージのみを読み込む選択器（14）によってメッセージの系列を読み込み、
・前記選択器（14）によって読み込まれたメッセージの系列をディスプレイ装置（15）の第一の領域（16）に表の形で表示する、
方法ステップを有しており、
接続点(11)を介して、前記サービスアクセスポイント（8.1,8.2,8.3,9.1,9.2,7.1,7.2,7.3）のうちのどのサービスアクセスポイントを介して伝送されるメッセージも前記記憶装置内でファイルに時間順に保存されることができ、
携帯電話システムの加入者エンドシステムのOSI参照モデルの個々の層（1,2,3,4,5）からサービスアクセスポイント（7.1,7.2,7.3,8.1,8.2,8.3,9.1,9.2）を介して伝送されたメッセージの固有特性が前記選択器（14）によって決定され、
前記固有特性の推移がディスプレイ装置（15）の第二の領域（17）に表示され、
第二の領域において前記固有特性の推移のある特定の点がユーザーによって選択され、
前記特定の点に依存するメッセージの系列が前記選択器によって読み込まれる、
ことを特徴とする方法。
【請求項１０】
OSI参照モデルのある層（1,2,3,4,5）の複数のサービスアクセスポイント（7.1,7.2,7.3,8.1,8.2,8.3,9.1,9.2）を介して伝送されるメッセージの固有特性が前記選択器（14）によって決定される、
ことを特徴とする、請求項９記載の方法。
【請求項１１】
第二の領域（17）において、前記固有特性の推移（26）の少なくとも一つの特定の点がマーク（33.1,33.2,33.3,33.4）によってマークされ、
該マーク（33.1,33.2,33.3,33.4）を選択すると該マーク（33.1,33.2,33.3,33.4）によってマークされていた前記特定の点に依存して対応するメッセージの系列が記憶装置（13）から選択器（14）によって読み込まれる、
ことを特徴とする請求項９ないし１０のうちいずれか一項記載の方法。
【請求項１２】
記憶装置（13）へのメッセージの保存の間に追加的な情報項目が保存され、
前記追加的な情報項目に依存してマーク（34.1,34.2）が前記選択器（14）によって第二の領域（17）に自動的に生成される、
ことを特徴とする請求項１１記載の方法。
【請求項１３】
少なくとも一つの固有特性が第二の領域（17）においてｘ軸（28）が時間軸である座標系で表示される、
ことを特徴とする請求項９ないし１２のうちいずれか一項記載の方法。
【請求項１４】
第二の領域（17）において、前記第一の領域（16）で表の形で表示されているメッセージの系列にそれぞれ対応する領域がハイライトされる、
ことを特徴とする請求項１３記載の方法。
【請求項１５】
少なくとも一つの固有特性が第二の領域（17）においてｘ軸（28）が同数のメッセージをもつ区間に分割されている座標系で表示される、
ことを特徴とする請求項９ないし１２のうちいずれか一項記載の方法。
【発明の詳細な説明】
【技術分野】
【０００１】
本発明は、OSI参照モデルの諸層からサービスアクセスポイントを介して伝送されるメッセージを解析するための、メッセージ解析器および方法に関するものである。
【背景技術】
【０００２】
OSI参照モデルに従って構築された通信システムの場合において、OSI参照モデルの個々の層の間で伝送されるメッセージを解析するための、メッセージ解析器および方法が、これまで公開されていないDE10204657A1に記載されている。それによるとこのメッセージ解析器は、あらゆるメッセージの時間順に並べられた系列から個々のメッセージの間の因果関係を、それぞれに関連するOSI参照モデルの層には関わりなく表示できる手段を有している。この目的のため、伝送される各メッセージについて補足的な情報項目が試験実行の間に各記憶装置に保存され、それから当該解析器によって、どのメッセージがあるメッセージの結果として生成されたものかが判定できる。逆に、ある特定のメッセージに関して、どのメッセージがその特定の後続メッセージの送信の原因かを決定することもできる。
【０００３】
因果関係のある先行または後続のメッセージを決定するもとになるメッセージの選択は、ディスプレイ装置の第一の領域においてそのメッセージを選択する手段によって実施される。ディスプレイ装置のこの第一の領域では、単に限られた数のメッセージしか表示できない。ディスプレイ装置のこの第一の領域に表示されるそれぞれのメッセージは、記憶装置から前記の諸情報項目の読み込みののちに表の形で表示される。ここで、第一の領域に表示される情報項目の配列は、個々のメッセージについて保存されている時刻情報に基づいて実施される。
【０００４】
ここで、第一の領域に表示されるメッセージの数が試験実行の間に記憶装置に保存されるメッセージ総数のごく一部でしかないことは不都合である。特に、時刻情報に基づいてメッセージをソートするため第一の領域に多数のメッセージが表示されるが、それらのメッセージは残りのメッセージと直接的な因果関係もなければOSI参照モデルの同じ層に関係しているのでもないので、試験シナリオの解析の間ずっと無視されることもあるのである。
【発明の概要】
【発明が解決しようとする課題】
【０００５】
本発明の根底にある目的は、利用可能な全メッセージに関係するすべての情報をメッセージ解析器が読み込むことを必要とせずに、一つのサービスアクセスポイントを介して送信された多数のメッセージのための固有特性の評価が可能であるような、メッセージを分析するメッセージ分析器および方法を創り出すことである。
【課題を解決するための手段】
【０００６】
その目的は、本発明の請求項１に基づくメッセージ解析器によって、および本発明の請求項１０に基づく方法によって達成される。
【０００７】
本発明に基づくメッセージ解析器の場合、当該メッセージ解析器の記憶装置に保存されているメッセージが選択器によって読み込まれる。個々のメッセージに関係する詳細な情報は、メッセージを時間順にリストすることによってディスプレイ装置の第一の領域に表示される。前記選択器によってある特定のグループのメッセージ、すなわちある特定のサービスアクセスポイントを介して送信されたメッセージ全体についての固有特性が決定される。この固有特性は次いで推移グラフとして多数のメッセージについてディスプレイ装置の第二の領域に表示されることができ、広い範囲のメッセージにわたって迅速な概観を可能にする。好ましくは、試験実行の間に記憶装置に保存されたメッセージ全数の固有特性の推移グラフが決定される。
【０００８】
よって、大きなグループのメッセージについて固有特性に関する評価が第二の領域に表示される推移グラフに基づいて可能となり、前記選択器によって読み込まれるデータ量が大幅に軽減される。データ転送は、一つまたは複数の特定のサービスアクセスポイントを介して送信されたメッセージについての固有特性の基礎になった情報のみの読み込みに制限され、よって読み込み時間が削減される。
【０００９】
本発明に基づく方法および本発明に基づくメッセージ解析器の有利な展開は従属請求項において述べられる。
【００１０】
特に、一つの特定のサービスアクセスポイントを介して送信されたメッセージの固有特性の推移グラフの評価の際、ある特定の時刻に送信されたメッセージのグループに関係する追加的な情報項目が必要となる。そのため、第一の領域に詳細情報を表示するためには、ある特定の系列のメッセージがすべての情報項目とともに記憶装置から選択器によって読み込まれる。ここで、第二の領域における特定の点を選択することによって選択器のためにメッセージが確定される。そのメッセージは第一の領域に表示するために読み込むべきメッセージの系列のための基準点をなす。
【００１１】
さらなる利点として、第二の領域において、特定の点の事前選択をして、第二の領域においてある特定の点がマークされるようにし、選択器によって第二の領域でこの印が選択されるとこの特定の点に対応するメッセージの系列だけが読み込まれるようにすることができる。特に、第二の領域において複数のそのような印が異なる特定の点を表している場合、第一の領域に表示されるべき個々の系列の間で反復的に切り換えることが簡単な仕方で可能である。たとえば試験実行における顕著な変化にマークが付されている場合、メッセージの系列においてそれぞれ生じる変化は互いに簡単な仕方で比較することができる。ここで、対応するマークの使用により正確に同じメッセージを第一の領域に繰り返し表示することができる。
【００１２】
試験実行の間、該試験実行に関係する追加的な情報項目をも記憶装置に保存することができる。たとえば試験実行のうちにある特定のイベントが発生した場合である。これはたとえば減衰の変化でありうる。その場合、固有特性の推移グラフを表示するときに図の対応する位置に自動的にマークが設定される。自動的に設定されたマークが第二の領域に表示されることで、保存されている時間順のメッセージにおいて決定的な点を容易にみつけることができる。そしてそれぞれの詳細な情報項目は、前記自動的に設定されたマークを選択することで選択器による保存装置から読み込まれることができる。選択器によって詳細な情報項目が読み込まれる特定のメッセージ系列を好適に位置特定することによって、メッセージの全体に関係して記憶装置に保存されている大量のデータのうちのごく小さな部分だけが読み込まれる。読み込む必要のあるデータ量がこれにより大幅に削減され、その結果として当該メッセージ解析器のユーザーフレンドリーさの改善が達成される。
本発明に基づく方法および本発明に基づくメッセージ解析器のある実施形態は図面において示されており、以下の記述においてより詳細に説明される。
本発明は記載されている実施例に制限されるものではない。実施例の諸特徴は任意の仕方で組み合わせることもできる。
【図面の簡単な説明】
【００１３】
【図１】試験シナリオにおけるOSI参照モデルを例として示す図である。
【図２】本発明に基づくメッセージ解析器の実施形態の概略図である。
【図３】本発明に基づくメッセージ解析器のディスプレイ装置の表示の第一の例である。
【図４】本発明に基づくメッセージ解析器のディスプレイ装置の表示の第二の例である。
【図５】本発明に基づくメッセージ解析器のディスプレイ装置の表示の第三の例である。
【発明を実施するための形態】
【００１４】
本発明をよりよく理解できるよう、導入として、たとえば携帯電話システムのための新しいソフトウェアコンポーネントの試験の間に使われるような試験シナリオに関する、OSI参照モデルの例について図１の概略図を参照しながら手短かに説明する。OSI参照モデルは図１では単純化して表現されており、５層からなっている。これがたとえば携帯電話システムの加入者のエンドシステムを表現する。第１層はビット伝送層（PHY:  
physical  layer「物理層」）であり、物理的な情報の実際の伝送、すなわち有用なデータなどのビットごとの伝送を反映する。
【００１５】
ビット伝送層１の上には第２層２が配置されている（RLC:  radio  link  control「無線リンク制御」／MAC:  media  access  control「メディアアクセス制御」）。それに続いて第３層３（RRC:  radio  resource  control「無線リソース制御」）、第４層４（MM:  mobility  management「移動性管理」）および第５層５（TC:  test  control「試験制御」５．１／CC:  call  control「呼び出し制御」５．２）がある。この第５層はアプリケーション層をなし、よって携帯電話加入者が、あるいは示されている実施形態では試験装置が使うためのインターフェースをなす。
【００１６】
試験実行を制御するために、前記したOSI参照モデルの上で試験シナリオ６が用いられる。この試験シナリオは、OSI参照モデルのさまざまな層とそれぞれのサービスアクセスポイントを介して通信する。水平面内に、すなわち層と層の間に配置されているサービスアクセスポイントに加えて、試験シナリオ６は個々の層と制御サービスアクセスポイントを介して通信する。制御サービスアクセスポイントは図１では縦方向の楕円として表現されており、参照符号７．１、７．２、７．３で指示されている。これらの制御サービスアクセスポイント７．１ないし７．３を介してそれぞれの層のプロトコルのパラメータを試験シナリオ６――プロトコル試験者によって規定されたあらかじめ決められた実行過程――によって関係する第３層、第４層または第５層について規定することができ、よって試験実行の間に好適に変更されることができる。
【００１７】
OSI参照モデルの個々の層は互いにメッセージの伝送によって通信する。メッセージはある層から別の層へそれぞれサービスアクセスポイントを介して伝送される。また、メッセージ伝送の間に、図１で横向きの楕円として表現されているサービスアクセスポイント、たとえば第２層のサービスアクセスポイント８．１、８．２、８．３の間の分化が起こることができる。他方、追加的に存在する縦に描かれたサービスアクセスポイント、たとえばビット伝送層１のサービスアクセスポイント９．１および第２層２のサービスアクセスポイント９．２はパラメータを転送するはたらきをするが、この場合はパラメータは外部の試験シナリオ６からくるのではなく、OSI参照モデルの別の層からくるものである。
【００１８】
試験実行の間に、OSI参照モデルの諸層のサービスアクセスポイントを介して伝送されるメッセージは、メッセージ解析器の記憶装置内のファイルに保存される。メッセージはこのいわゆる「ログファイル」に、メッセージの出所、メッセージが送信された各サービスアクセスポイント、送信時間などといった多くの情報項目とともに保存される。この目的のため、接続１１が設けられる。それは図２において概略的に表現されるメッセージ解析器１０の場合について示されている。
【００１９】
接続１１を介して、メッセージは記憶装置１３のインターフェース１２を介してファイルとして時間順に保存される。記憶装置１３に保存されているメッセージへのアクセスは選択器１４による。選択器１４によって、たとえば一部のメッセージが該メッセージに関係する記憶装置１３内に存在する全情報とともに読み込まれることができ、あるいはある特定の基準についてその基準を満たすすべてのメッセージが選択されることができる。これらのメッセージについて、たとえば特定の固有特性が選択器１４によって決定される。この目的のために記憶装置１３の対応する記憶領域が選択器１４によって好適にアクセスされ、それらのメッセージのすべての特性が選択器１４によって記憶装置１３から読み込まれることは必要でない。
【００２０】
個々のメッセージに関係して保存されている情報の一部のみが、選択器１４によって記憶装置１３から選択的に引き出される。よって、読み込まれるべき情報の量が軽減される。したがって、評価すべきデータについての読み込み時間が削減される。選択器１４はディスプレイ装置１５に接続され、ディスプレイ装置１５はたとえばそこに表示されているウィンドウ内に第一の領域１６および第二の領域１７をもつ。
【００２１】
もしもたとえばメッセージの系列がその情報内容全体とともに選択器１４によって読み込まれるとすると、この情報のすべては選択器１４の第一の領域１６に表示されることができる。その目的のためには、たとえば限られた数のメッセージ、すなわちある系列のメッセージがディスプレイ装置１５の第一の領域１６に時間順に表の形で表示される。各メッセージが送信された実時間に加えて、内容に関して該メッセージをより詳細に記述するさらなる情報項目が前記表中に表示されることができる。
【００２２】
他方、第二の領域１７には、ユーザーが確定できる基準に従って選択される多数のメッセージについて、ごく一部の情報項目のみが表示される。そのような表示の例は、図３から図５を参照しつつのちにさらに詳細に説明する。
【００２３】
第一の領域１６にはどのサービスアクセスポイントを介して送信されたメッセージも時間順に表示される一方、あるグループのメッセージの固有特性の推移グラフを表示するために、特定のサービスアクセスポイントを介して、特に一つの特定のサービスアクセスポイントを介して送信されたメッセージのみが評価され、それらの各メッセージの一つの基準から選択器１４によって固有特性が決定される。
【００２４】
たとえばある特定のサービスアクセスポイントおよびある固有特性がユーザーによって確定されたのち、その固有特性と関係のあるメッセージそれぞれの情報項目が選択器１４によって記憶装置１３から読み込まれる。これらのメッセージの情報項目の読み込みは、この例では、ユーザーによって確定されたサービスアクセスポイントを介して送信されたメッセージについてのみ選択的に実施される。単純な例として、選択器１４は、ある特定のサービスアクセスポイントを介して単位時間に何通のメッセージが送信されたかを決定することができる。この例では、単位時間あたりのメッセージ数が固有特性であり、一つまたは複数の特定のサービスアクセスポイントがユーザーによって選択される。選択器１４によって、記憶装置１３内に保存されているすべてのサービスアクセスポイントのメッセージ全体から、ユーザーによって確定されたサービスアクセスポイントを介して送信されたメッセージのグループを抽出することができる。それぞれの実時間から、それらのサービスアクセスポイントについて単位時間あたりに何通のメッセージが送信されたかが決定される。
【００２５】
ディスプレイ装置１５の第二の領域１７には次いで、固有特性、たとえば示されている例では単位時間あたりのメッセージ数が基本目盛りに対してプロットされる。よって第二の領域１７には特定のメッセージについての固有特性に関係するグラフィック表示が与えられ、それにより試験実行の間にスキャンされる長い期間から迅速な選択ができるようになる。この目的のために、ディスプレイ装置１５の第二の領域１７に保存される推移グラフで、該表示されている推移グラフのある特定の点を選択手段１８を用いてクリックすることによって選択を行うことができる。選択手段１８はたとえばコンピュータマウスである。
【００２６】
そうして第二の領域１７に表示されている推移グラフの特定の点を選択したのち、この特定の点に対応するメッセージの系列が選択器１４によって記憶装置１３から読み込まれる。好ましくは、このメッセージ系列に関係する利用可能な全情報が記憶装置１３から読み込まれる。第二の領域１７の推移グラフのうちのある特定の点の選択によって、限られたメッセージ系列についてのみ読み込まれる、当該内容に関係するこれらの情報項目は、次いでディスプレイ装置１５の第一の領域１６に再び表の形で表示される。
【００２７】
図３に、ディスプレイ装置１５上のそのような表示の第一の例が示されている。この表示が示しているのはプログラムウィンドウ１９で、該プログラムウィンドウ１９には水平の仕切りがあって、上部に第一の領域１６が配置されており、下部に第二の領域１７が配置されている。プログラムウィンドウ１９内の第一の領域１６と第二の領域１７の間では、第三の領域２０および第四の領域２１があって、たとえば第一の領域においてマークされたメッセージの構造や、第一の領域１６の表に表示されている個々のメッセージのより上位の内容的な情報項目に関係する追加的な詳細情報を表示するはたらきをする。
【００２８】
４つの領域１６、１７、２０、２１に加えて、プログラムウィンドウ１９はメニューバー２２およびツールボタンバー２３を示しているが、これらは他の用途のコンピュータプログラムから既知のものである。すでに述べたように、メッセージの系列は第一の領域１６に表の形で表示される。個々の列２４．１から２４．１０がその系列のメッセージに関係する情報項目を含んでいる。あるメッセージのエントリーはそれぞれ表示されている表で一つの行を含む。
【００２９】
第１列２４．１では、メッセージのシリアル番号が表示される。第２列２４．２はメッセージが送信された実時間を含んでおり、一方、第３列２４．３および第４列２４．４には当該メッセージとそれぞれ関連付けるべきシステム時刻が表示される。第５列２４．５は各メッセージが基地局側のエンドシステムと携帯電話加入者のエンドシステムのどちらによって生成されたものかに関係するデータを含む。
【００３０】
第６列２４．６では当該メッセージの基礎となるプロトコルが示されている。表示されている実施例では、使用される携帯電話プロトコルはUMTSである。第７列２４．７は当該メッセージがOSI参照モデルに基づくどの層から送られたかを示す。第８列２４．８はそれに対応して当該メッセージがどのサービスアクセスポイントを介して送信されたかを示す。さらに、図３では、複数のサービスアクセスポイントからメッセージが送信されていることがわかる。そうしたメッセージは時間的に密集して続いているため、異なるサービスアクセスポイントを介して送信された諸メッセージからなる系列が第一の領域１６の表表示に表示されているのである。
【００３１】
個々のメッセージに関係するどの情報項目を第一の領域１６に表示すべきかの選択は、選択メニューにおいてユーザーが行うことができる。それによりたとえば前記の列２４．１から２４．８および送信されたメッセージの型に関係するさらに二つの列２４．９および２４．１０を調整することができる。選択手段１８を援用して、ユーザーは第一の領域１６における表表示の個々のメッセージをマークすることができ、選択されたメッセージは太字で、あるいは色でハイライトされたメッセージ２５として表示される。
【００３２】
第一の領域１６の表にすでに表示されている当該メッセージの情報内容に加えて、第三の領域２０にハイライトされたメッセージ２５に関係して、この個別のハイライトされたメッセージ２５の構造が表示される。その際、階層構造は第三の領域２０ではインデントによって再現される。第四の領域２１では、第一の領域１６のハイライトされたメッセージ２５の値に関係する詳細な情報項目が表示される。ここでは当該メッセージの個々の構造要素のビットごとの表示が前にある。
【００３３】
ある個別のメッセージに関係する個々の詳細な情報項目が３つの領域１６、２０、２１に表示されるのに対し、第二の領域１７では、互いに関係している多数のメッセージについての固有特性の推移グラフ２６が表示される。示されている実施例では、例としてデータ負荷、すなわちある特定のサービスアクセスポイントを介して単位時間に送信されるデータの量がｙ軸２７に表示されている。示されている実施例ではキロバイト毎秒の単位が選ばれており、BCH（“Broadcast  Channel”［ブロードキャストチャネル］）と示されるアクセスポイントに関係するものである。そのことは第二の領域１７の説明３０に示されている。
【００３４】
第二の領域１７に表示される説明３０および推移グラフ２６の内容は、第二の領域１７に複数の推移グラフを表示しても明確な対応ができるようたとえば色で調整することができる。第二の領域１７における複数の推移グラフの表示のための必要条件は、ｙ軸２７上にプロットする固有特性として同一の変数が使用され、さらにｘ軸２８上の基本目盛りの基準変数が同一であるということである。
【００３５】
プログラムウィンドウ１９内の第二の領域１７が設けられているのは、推移グラフ２６を表示するための用途に加えて、他の情報項目を表示するためでもある。この目的のため、第二の領域１７にはレジスターカード（register  cards）が設けられており、対応するタブ２９によって前面にもってくることができる。
【００３６】
第一の領域１６に挙げられているメッセージの系列は、第２列２４．２に示されている実時間によるある特定の期間内のメッセージに関するものである。見えている表に表示されている時間領域については、第二の領域１７に関連付けられたフレーム３１が表示される。このフレームによって第一の領域１６に挙げられているメッセージと、第二の領域１７に表示されている固有特性から見た時間的に全体を通観する推移グラフとの間に簡単な時間的関連付けをすることが可能になる。
【００３７】
第一の領域１６に表示されているメッセージ系列に対して、異なる時間的位置をもつ別のメッセージ系列を表示するため、選択器１４によって記憶装置１３から別のメッセージ系列が関連する情報項目とともに読み込まれる。この目的のためには、まず第二の領域１７において選択手段１８を援用して推移グラフ２６のある位置を選択する。結果として、ある特定の点３２の選択が実施される。ここで、この特定の点３２はその際に使われた基本目盛り上の位置、すなわち示されている実施例では実時間の時間軸の役割をするｘ軸２８上のある特定の時刻にのみ関係する。
【００３８】
第二の領域１７で表示されている推移グラフ２６におけるある位置をクリックして特定の点３２を直接決めることに加えて、一つまたは複数のマーク３３．１ないし３３．４を設定することも可能である。これらのマークはそれぞれ特定の点を確定するが、まだその点を選択したことにはならない。個々のマーク３３．１、３３．２、３３．３または３３．４に対応すべき特定の点の選択は、必要なマークをそれぞれたとえば選択手段１８を介して改めて選択した場合にのみ実施される。対応するマーク３３．１ないし３３．４の一つを選択することによって、そのそれぞれの選択されたマーク３３．１ないし３３．４に関連付けられた特定の点が間接的に選択され、結果としてこの特定の点に対応するメッセージ系列が第一の領域１６に表示される。ある特定の点が選択されるたびに、直接的にかマークを使って間接的にかは問わず、対応するメッセージ系列が選択器１４によって記憶装置１３から読み込まれる。
【００３９】
あるいはまた、第一の領域１６に表示されるメッセージ系列はスクロールバーを活用することによって移動させることもできる。その際、第二の領域１７に表示されているフレーム３１はそれに対応して移動して表示される。
【００４０】
第二の領域１７における推移グラフ２６のためのグラフィック出力を、記憶装置１３内においてたとえば実時間での特定の時刻を指定する追加的な情報項目に基づいて生成する間、さらなるマーク３４．１および３４．２が自動的に設定されるようにすることもできる。これらのさらなるマーク３４．１および３４．２を援用することで、評価の際に特に関心がもたれる特定のメッセージ系列を簡単な仕方で位置特定することができる。たとえば、図３で二つの自動的に設定されたマーク３４．１および３４．２について示されているように当該試験の実施の間に減衰が変化した時刻に関係する追加的な情報項目が、それぞれ試験シナリオ６によって記憶装置１３に保存されることができる。マーク３３．１ないし３３．４と全く同じように、自動的に設定されたマーク３４．１および３４．２も選択手段１８によって選択することができ、よって減衰の飛びに起因する変わった挙動が期待されるメッセージ系列を選択器１４によって読み込み、第一の領域１６に表示することができる。
【００４１】
第二の領域１７では、好ましくは前記のさらなるマーク３４．１および３４．２に関係する短いデータ３５．１または３５．２が表示されている。このデータは、記憶装置１３内に前記追加的情報項目が取り入れられた原因を示している。さらに、ユーザーによって手動で設定されたマーク３３．１ないし３３．４と前記のさらなるマーク３４．１および３４．２とを視覚的に区別できる仕方で表示することが有益である。
【実施例】
【００４２】
図４ではプログラムウィンドウ１９のさらなる可能な表示例を示している。このウィンドウでは全部で３つの推移グラフ３６、３６′、３６″が第二の領域１７に表示されている。ｘ軸２８は再び実時間での時間軸である。ｙ軸２７には、図３の先の実施例と違って、データ負荷の代わりに、OSI参照モデルの複数の層についての単位時間あたりのメッセージ数がプロットされている。ここで、OSI参照モデルの一つの層の全サービスアクセスポイントのメッセージからの情報が選択器１４によって処理されて、その層全体の共通の固有特性が決定される。
【００４３】
OSI参照モデルのある特定の層の全サービスアクセスポイントを介して送信されるメッセージ数は系列として集積され、対応する推移グラフ３６、３６′または３６″として表示される。図４の実施例の第一の領域１６では個々のメッセージが単に実時間に基づいて表の形に配列されるだけであり、図４の第二の領域１７の変更された表示においても図３の特定の点３２から外れるいかなる特定の点も選ばれていないので、第一の領域１６では図３の実施例の場合と同じメッセージを見て取ることができる。第一の領域１６に表示されているメッセージ系列を第二の領域１７における時間範囲として再現するフレーム３１の位置は、したがって図３の第二の領域１７に示したフレーム３１に対応する。
【００４４】
図３または図４に示した第二の領域１７におけるそれぞれの表示の間では、操作者などが選択メニューの選択で切り換えることができる。第二の領域１７における特定の点３２の選択が変更され、それにより選択器１４によって記憶装置１３から新たなメッセージ系列が読み込まれない限りは、残りの領域１６、２０、２１に表示されている情報項目が変更されることはない。図５の第三の実施例では、固有特性としては図３のデータ負荷の代わりにOSI参照モデルのある特定の層の繰り返し送信されたメッセージの数が推移グラフ４６として表示されている。それに対応して、ｘ軸２８はやはり実時間であるが、ｙ軸２７の単位は今度は単位時間間隔あたりのメッセージ数である。さらなるマーク３４．１および３４．２の意味は特に容易に検知可能である。前記さらなるマーク３４．２の付近で信号減衰が上昇する二番目のステップは、OSI参照モデルの表示されている層のメッセージの再送信数の急激な増加に結びついているからである。
【００４５】
説明のために選ばれた第二の領域の３通りの表示において、それぞれ実時間がｘ軸２８の基本目盛りとして選択されていた。しかし、純粋な時間軸とする代わりに、ｘ軸２８を同一の幅の複数の区間に分割し、ある特定の送信メッセージ数が各区間を表すようにすることもできる。それにより、たとえば送信メッセージの総数がOSI参照モデルの個々の層にどのように分布しているかを推移グラフのうちに容易に読み取ることができる。実時間を用いた場合の、合計しても少数のメッセージしか送信されていない期間におけるｘ軸２８の無用な広がりを避けることができ、その結果としてとりわけ明瞭な表示が実現される。ここで、それぞれの区間幅は操作者によってたとえば選択メニューによって調整可能である。
【００４６】
時間軸として構成されたｘ軸２８のための基本目盛りとして実時間の代わりに、システム時刻を用いることもできる。たとえば区間あたりの送信フレーム数（RFN:  “Radio  Frame  Number”［無線フレーム数］）、あるいは区間あたりの送信チップ数の特定の値をきざみとするのである。
【００４７】
本発明は記載されている実施例に制限されるものではない。実施例の諸特徴は任意の仕方で組み合わせることもできる。
【００４８】
特願２００６−５２２２９０の出願時の請求項を下記に記載しておく。
［請求項１］
OSI参照モデルの諸層（1,2,3,4,5）からサービスアクセスポイント（8.1,8.2,8.3,9.1,9.2,7.1,7.2,7.3）を介して伝送されるメッセージを解析するためのメッセージ解析器（10）であって、
メッセージを保存するための記憶装置（13）と、
時間的に逐次的なメッセージの系列を読むための選択器（14）と、
少なくとも一つの第一の領域（16）および一つの第二の領域（17）を表示するためのディスプレイ装置（15）、
とを有しており、選択器（14）によって記憶装置（13）から読み込まれるメッセージの系列が第一の領域（16）にリストとして表示されることができ、
前記選択器（14）が少なくとも一つのサービスアクセスポイント（7.1,7.2,7.3,8.1,8.2,8.3,9.1,9.2）について、このサービスアクセスポイント（7.1,7.2,7.3,8.1,8.2,8.3,9.1,9.2）を介して送信されるメッセージの固有特性を決定し、この固有特性の推移（26）がディスプレイ装置（15）上で第二の領域（17）に表示されることができることを特徴とするメッセージ解析器。
［請求項２］
前記選択器（14）がOSI参照モデルのある層の複数のサービスアクセスポイント（7.1,7.2,7.3,8.1,8.2,8.3,9.1,9.2）を介して送信されるメッセージの固有特性を決定し、この固有特性の推移（26）がディスプレイ装置（15）上で該ディスプレイ装置（15）の第二の領域（17）に表示されることができる、
ことを特徴とする請求項１記載のメッセージ解析器。
［請求項３］
前記選択器（14）によって読まれるメッセージの系列が、第二の領域（17）において前記固有特性の推移（26）のある特定の点（32）を選択できる選択に依存する、
ことを特徴とする請求項１または２記載のメッセージ解析器。
［請求項４］
第二の領域（17）に表示される推移（26）においてマーク（33.1,33.2,33.3,33.4）によって少なくとも一つの特定の点をマークすることができ、該マーク（33.1,33.2,33.3,33.4）を選択すると前記特定の点に対応するメッセージの系列が記憶装置（13）から読み込まれる、
ことを特徴とする請求項３記載のメッセージ解析器。
［請求項５］
記憶装置（13）へのメッセージの保存の間に保存される追加的な情報項目に基づいて、マーク（34.1,34.2）が前記選択器（14）によって自動的に生成されることができる、
ことを特徴とする請求項３または４記載のメッセージ解析器。
［請求項６］
前記固有特性の推移（26）が第二の領域（17）においてｘ軸（28）が時間軸である座標系で表示されることができる、
ことを特徴とする請求項１ないし５のうちいずれか一項記載のメッセージ解析器。
［請求項７］
第二の領域に表示される推移（26）の、前記第一の領域（16）で現在表示されているメッセージの系列にそれぞれ対応する領域がハイライトされる、
ことを特徴とする請求項６記載のメッセージ解析器。
［請求項８］
前記固有特性の推移が第二の領域（17）においてｘ軸（28）が同数のメッセージをもつ区間に分割されている座標系で表示されることができる、
ことを特徴とする請求項１ないし５のうちいずれか一項記載のメッセージ解析器。
［請求項９］
前記固有特性が、時間区間あたりの送信メッセージ数、および／またはOSI参照モデルのある層（1,2,3,4,5）のデータ負荷、および／または繰り返して送信されたメッセージ数である、
ことを特徴とする請求項１ないし８のうちいずれか一項記載のメッセージ解析器。
［請求項１０］
OSI参照モデルの諸層（1,2,3,4,5）からサービスアクセスポイント（7.1,7.2,7.3,8.1,8.2,8.3,9.1,9.2）を介して伝送され、記憶装置（13）に保存されるメッセージを解析するための方法であって、コンピュータまたはデジタル信号プロセッサを使って：
・選択器（14）によってメッセージの系列を読み込み、
・前記選択器（14）によって読み込まれたメッセージの系列をディスプレイ装置（15）の第一の領域（16）に表の形で表示する、
方法ステップを有しており、
少なくとも一つのサービスアクセスポイント（7.1,7.2,7.3,8.1,8.2,8.3,9.1,9.2）を介して送信されたメッセージの固有特性が前記選択器（14）によって決定され、
前記固有特性の推移がディスプレイ装置（15）の第二の領域（17）に表示される、
ことを特徴とする方法。
［請求項１１］
OSI参照モデルのある層（1,2,3,4,5）の複数のサービスアクセスポイント（7.1,7.2,7.3,8.1,8.2,8.3,9.1,9.2）を介して送信されるメッセージの固有特性が前記選択器（14）によって決定される、
ことを特徴とする、請求項１０記載の方法。
［請求項１２］
第二の領域（17）において前記固有特性の推移（26）のある特定の点（32）が選択され、
前記特定の点（32）に依存するメッセージの系列が前記選択器（14）によって読み込まれる、
ことを特徴とする請求項１０または１１記載の方法。
［請求項１３］
第二の領域（17）において、前記固有特性の推移（26）の少なくとも一つの特定の点がマーク（33.1,33.2,33.3,33.4）によってマークされ、
該マーク（33.1,33.2,33.3,33.4）を選択すると該マーク（33.1,33.2,33.3,33.4）によってマークされていた前記特定の点に依存して対応するメッセージの系列が記憶装置（13）から選択器（14）によって読み込まれる、
ことを特徴とする請求項１０ないし１２のうちいずれか一項記載の方法。
［請求項１４］
記憶装置（13）へのメッセージの保存の間に追加的な情報項目が保存され、
前記追加的な情報項目に依存してマーク（34.1,34.2）が前記選択器（14）によって第二の領域（17）に自動的に生成される、
ことを特徴とする請求項１３記載の方法。
［請求項１５］
少なくとも一つの固有特性が第二の領域（17）においてｘ軸（28）が時間軸である座標系で表示される、
ことを特徴とする請求項１０ないし１４のうちいずれか一項記載の方法。
［請求項１６］
第二の領域（17）において、前記第一の領域（16）で表の形で表示されているメッセージの系列にそれぞれ対応する領域がハイライトされる、
ことを特徴とする請求項１５記載の方法。
［請求項１７］
少なくとも一つの固有特性が第二の領域（17）においてｘ軸（28）が同数のメッセージをもつ区間に分割されている座標系で表示される、
ことを特徴とする請求項１０ないし１４のうちいずれか一項記載の方法。
【図１】
2011041285.tif 000003
【図２】
2011041285.tif 000004
【図３】
2011041285.tif 000005
【図４】
2011041285.tif 000006
【図５】
2011041285.tif 000007